(57)【特許請求の範囲】
【請求項１】
電話機と、ファクシミリ通信部と、電話機とファクシミリ通信部とを切り換えて電話回線に接続する回線切り換え部と、電話回線上の音声信号を拡声する拡声部と、拡声部を制御する制御部と、電話番号を入力すると共にファクシミリ通信の開始を指示する操作部と、予め登録される電話番号を記憶する記憶部と、操作部から入力された電話番号と記憶部に記憶されている電話番号が一致するかどうかを判定する判定部とを備え、ファクシミリ通信の開始が指示されたときに、判定部で前記両者の電話番号の一致が判定されると拡声部を動作させることを特徴とする、ファクシミリ装置。
【請求項２】
前記電話機のオフフックを検出するオフフック検出部を備え、オフフック検出部で電話機のオフフックを検出すると、前記拡声部の動作を停止させることを特徴とする、請求項１に記載のファクシミリ装置。
【請求項３】
前記記憶部は、全ユーザに対して共通の電話番号を記憶する第１の記憶部と、ユ−ザが独自に登録するユーザ特有の電話番号を記憶する第２の記憶部とからなることを特徴とする、請求項１または請求項２に記載のファクシミリ装置。
【発明の詳細な説明】
【０００１】
【発明の属する技術分野】
本発明は、通話用の電話番号をダイヤルした後に誤ってファクシミリスタ−トキ−を押した場合でも、相手先と通話できる構成としたファクシミリ装置に関する。
【０００２】
【従来の技術】
電話機を付設して、相手先の通信端末装置との間で通話とファクシミリ通信ができる構成のファクシミリ装置が使用されている。図６は、このようなファクシミリ装置が用いられる例を示す構成図である。
【０００３】
図６において、３０は電話機を付設したファクシミリ装置で、通話機能とファクシミリ通信機能を有している（以下、図６では通話機能を「ＴＥＬ」と、ファクシミリ通信機能を「ＦＡＸ」と表示する。）。４０は交換機、５０は通話機能を有する第１の通信端末装置、６０は通話機能とファクシミリ通信機能を有する第２の通信端末装置である。
【０００４】
第１の通信端末装置５０は通話専用の電話機であり、ファクシミリ装置３０は、交換機４０を介して第１の通信端末装置５０と通話を行なう。第２の通信端末装置６０は、通話用の電話番号とファクシミリ通信用の電話番号を具備しており、ファクシミリ装置３０は、交換機４０を介して第２の通信端末装置６０と通話またはファクシミリ通信を行なう。
【０００５】
ファクシミリ装置３０は、相手先と通話またはファクシミリ通信を行なう場合には、電話番号をダイヤルする。ファクシミリ通信を行なうときには、引き続いてファクシミリスタ−トキ−を押して、相手先にファクシミリ通信手順の信号を送信する。
【０００６】
【発明が解決しようとする課題】
ところが、第１の通信端末装置５０のような通話専用機に対して、前記のように電話番号のダイヤルに続いてファクシミリスタ−トキ−を押してしまうと、相手先にはファクシミリ通信手順の信号だけが聞こえて、迷惑信号が送信されることになる。この際に、送信先に間違い送信を連絡することができず、送信元のファクシミリ装置ではファクシミリ通信手順の信号が間違って送信されたことに気が付かない、という問題があった。
【０００７】
また、第２の通信端末装置６０に対して、ファクシミリ通信用の電話番号ではなく、通話用の電話番号をダイヤルして、続いてファクシミリスタ−トキ−を押した場合にも、同様に送信元のファクシミリ装置ではファクシミリ通信手順の信号が間違って送信されたことに気が付かない、という問題があった。
【０００８】
本発明は、かかる現状に鑑みてなされたものであり、通話用の電話番号をダイヤルした後に誤ってファクシミリスタ−トキ−を押した場合でも、相手先と通話することによりファクシミリ通信手順の信号が間違って送信されたことが判断できる構成としたファクシミリ装置の提供を目的とする。
【０００９】
【課題を解決するための手段】
上記目的は、請求項１に係る発明において、ファクシミリ装置を、電話機と、ファクシミリ通信部と、電話機とファクシミリ通信部とを切り換えて電話回線に接続する回線切り換え部と、電話回線上の音声信号を拡声する拡声部と、拡声部を制御する制御部と、電話番号を入力すると共にファクシミリ通信の開始を指示する操作部と、予め登録される電話番号を記憶する記憶部と、操作部から入力された電話番号と記憶部に記憶されている電話番号が一致するかどうかを判定する判定部とを備え、ファクシミリ通信の開始が指示されたときに、判定部で前記両者の電話番号の一致が判定されると拡声部を動作させる構成とすることによって達成される。
【００１０】
請求項２に係る発明は、請求項１に記載のファクシミリ装置において、前記電話機のオフフックを検出するオフフック検出部を備え、オフフック検出部で電話機のオフフックを検出すると、前記拡声部の動作を停止させることを特徴としている。
【００１１】
請求項３に係る発明は、請求項１または請求項２に記載のファクシミリ装置において、前記記憶部は、全ユーザに対して共通の電話番号を記憶する第１の記憶部と、ユ−ザが独自に登録するユーザ特有の電話番号を記憶する第２の記憶部とからなることを特徴としている。
【００１２】
請求項１に係る発明によれば、ファクシミリ通信の開始が指示されたときに、操作部から入力された電話番号と予め登録されて記憶部に記憶されている電話番号とが一致するかどうかを判定している。そして、両者の電話番号が一致すると判定されると、電話回線上の音声信号を拡声する拡声部を動作させている。このため、電話専用番号にダイヤルしたにも拘らずファクシミリ送信の開始を指示したときに、相手先からの音声信号が聞き取れて、相手先が電話機であることが判断できる。このため、オペレ−タは相手先と通話して誤操作であることを説明でき、相手先に対して適切に対応することができる。
【００１３】
請求項２に係る発明によれば、オフフック検出部で電話機のオフフックを検出すると、受話器を上げて相手先と通話可能な状態になったものと判断して拡声部の動作を停止させている。したがって、拡声部を無駄なく必要なときにだけ有効に動作させることができる。
【００１４】
請求項３に係る発明によれば、全ユーザに対して共通の電話番号を記憶する第１の記憶部と、ユ−ザが独自に登録するユーザ特有の電話番号を記憶する第２の記憶部とを設けている。このように、どのユ−ザにも共通して使用できる電話番号を記憶する記憶部と、ユ−ザに特有の電話番号を記憶する記憶部とを分離して設けているので、電話番号を登録する際のユ−ザの使い勝手が良くなる。
【００１５】
【発明の実施の形態】
以下、本発明の実施の形態について図面を参照して説明する。図１は、本発明の概略の処理手順を示すフロ−チャ−トである。
【００１６】
（Ａ）の処理では、ユ−ザが独自に設定する電話番号を登録する。（Ｂ）の処理では、（Ａ）の処理で登録した電話番号、またはファクシミリ通信用の電話番号にダイヤルを開始する。（Ｃ）の処理では、ファクシミリ（ＦＡＸ）スタ−トキ−を押し下げる。
【００１７】
（Ｄ）の処理では、（Ｂ）の処理でダイヤルされた電話番号は、（Ａ）の処理で登録した電話番号かどうかを判定する。この判定結果がＹＥＳ（以下、フロ−チャ−トではＹと略記する）であれば、（Ｅ）の処理でオフフックに切り換えて相手先に発呼する。（Ｄ）の処理の判定結果がＮＯ（以下、フロ−チャ−トではＮと略記する）であれば、（Ｆ）の処理で端末より発呼して相手先にＦＡＸ送信を行なう。
【００１８】
前記（Ｅ）の処理のように、本発明においては、電話専用番号にダイヤルしたにも拘らず誤ってＦＡＸスタ−トキ−を押し下げたときに、相手先に発呼して通話出来るようにしている。このため、相手先に対して誤操作であることが説明できるので、相手先に生ずる無用の混乱が防止できる。
【００１９】
図５は本発明のファクシミリ装置の制御装置を示す概略のブロック図である。次にこのブロック図について説明する。図５において、ファクシミリ装置は通話機能とファクシミリ通信機能とを有している。ファクシミリ装置の制御装置１は、各種信号やデ−タを処理するための制御部２を有している。この制御部２は、ＣＰＵ（中央演算処理装置）により構成されている。
【００２０】
制御部２には、モデム３、スキャナ４、プリンタ５、操作部６、表示器７、ＲＯＭ８、ＲＡＭ９、画像メモリ１０、コ−デック（符号化・復号部）１１がシステムバスＢを介して接続されている。
【００２１】
モデム３は、図示を省略している回線制御部と接続されており、相手先のファクシミリ装置等の通信端末装置との間で送受信されるデ−タを変調・復調する。回線制御部は外部回線と接続され、相手先のダイヤル番号に対応したダイヤルパルスの送出、及び着信を検出する。このように、モデム３と回線制御部とはファクシミリ通信部を構成している。
【００２２】
スキャナ４は原稿の画像を読み取る。読み取られた画像デ−タは、スキャナ４に設けた画像処理回路でシェ−デング補正により信号レベルのばらつきを補正する。また、画像処理回路は、画像品質を良好にするためのγ（ガンマ）補正回路、スム−ジング回路、エッジ強調回路等が設けられており、画像デ−タに所定の処理を施してから、２値化処理回路で２値化処理する。
【００２３】
プリンタ５は画像を記録紙にプリントする。画像のプリントは、記録紙の両面に行なう場合と記録紙の片面に行なう場合がある。操作部６は、ファクシミリ通信の開始を指示するスタ−トキ−、ストップキ−、テンキ−その他の操作キ−からなり、ファクシミリ装置の各種動作、停止を指示する。また、画像デ−タの倍率を拡大、縮小する変倍率設定部が設けられている。
【００２４】
液晶表示器（ＬＣＤ）を用いた表示器７には、原稿読取装置の動作に必要な各種メッセ−ジが表示される。ＲＯＭ８にはファクシミリ装置の各種動作に必要なデ−タやプログラムが格納される。ＲＯＭ８の格納領域８ａには、デフォルト電話番号リストを格納する。デフォルト電話番号リストには、前記のように「１１０」、「１１７」、「１１９」、「１７７」などのように、全国で一律に定められている電話番号を予めプログラムで登録する。
【００２５】
ＲＡＭ９には、予約送信またはメモリ受信における管理デ−タが格納される。ＲＡＭ９には、ダイヤルバッファの領域９ａを設け、相手先の電話番号にダイヤルしたときに、この電話番号を記憶する。また、ＲＡＭ９にはユ−ザが独自に登録する電話番号リストを格納するユ−ザ登録電話番号リストの格納領域９ｂを設ける。
【００２６】
このように、ＲＯＭ８の格納領域８ａは、プログラムで登録される電話番号を記憶する第１の記憶部を構成し、ＲＡＭ９の格納領域９ｂは、ユ−ザが登録する電話番号を記憶する第２の記憶部を構成している。すなわち、どのユ−ザにも共通して使用できる電話番号を記憶する記憶部８ａをＲＯＭ８に、また、ユ−ザに特有の電話番号を記憶する記憶部９ｂをＲＡＭ９に、それぞれ分離して設けているので、電話番号を登録する際のユ−ザの使い勝手が良くなる。
【００２７】
画像メモリ１０には、読み取り原稿の画像デ−タや相手先から受信した画像デ−タを格納する。コ−デック１１は、読み取り原稿の画像デ−タを所定の符号化方式で符号化し、また、受信した画像デ−タを復号する。
【００２８】
電話回線１２は、ライントランス１３を介してモデム３と接続されている。１４は、モデム３と電話回線１２との接続を断続するＣＭＬリレ−で、ＣＰＵ２からの制御信号で動作する。１５は回線極性検出回路で、検出信号をＣＰＵ２に入力する。相手先が受話器を上げると電話回線の極性が反転し、ＣＰＵ２は電話回線の極性が反転したことを判定する。
【００２９】
１６は、ＣＰＵ２からの制御信号で開閉する拡声部スイッチ（ＳＷ）である。この拡声部スイッチ１６がオンのときには、増幅器（ＡＭＰ）１７で増幅した電話回線上の音声信号を拡声部（ＳＰ）１８から出力する。このように、拡声部（ＳＰ）１８は、制御部２からの制御信号で開閉する拡声部スイッチ（ＳＷ）１６に接続されており、制御部２により制御されて前記音声信号の拡声動作、または拡声動作の停止を行なう。１９は、ファクシミリ装置に付設される電話機２２のベルを鳴動させる電源となる直流電圧発生回路である。
【００３０】
２０は、ＣＰＵ２からの制御信号で接点ａ1、ａ2と接点ｂ1、ｂ2に接続を切り換える接点切り換えリレ−である。接点切り換えリレ−２０がオフのときに接点ａ1、ａ2に切り換わり、電話機２２を電話回線１２に接続する。また、接点切り換えリレ−２０がオンのときに接点ｂ1、ｂ2に切り換わり、電話機２２を直流電圧発生回路１９に接続する。
【００３１】
２１は電話機２２のオフフック（ＯＨ）を検出するオフフック検出回路で、検出信号はＣＰＵ２に入力される。前記ＣＭＬリレ−１４と接点切り換えリレ−２０は、モデム３と回線制御部からなるファクシミリ通信部、および電話機２２とを切り換えて電話回線１２に接続する回線切り換え部を構成している。
【００３２】
図２〜図４は、本発明の詳細な処理手順を示すフロ−チャ−トである。次にこのフロ−チャ−トについて説明する。
【００３３】
（１）ステップＳ１で処理プログラムを開始し、ステップＳ２の処理で相手先の電話番号を入力する。次に、ステップＳ３の処理でダイヤルバッファ９ａに電話番号デ−タを格納する。続いて、ステップＳ４の処理でＦＡＸスタ−トキ−がオンかどうかを判定する。この判定結果がＮであれば、ステップＳ４の待機状態となる。
【００３４】
（２）ステップＳ４の判定結果がＹになると、ステップＳ５の処理に移行してダイヤルバッファの電話番号デ−タが、デフォルト電話番号リスト８ａ中の電話番号と一致するかどうかを判定する。この判定結果がＮであれば、次にステップＳ６の処理に移行し、ダイヤルバッファの電話番号デ−タが、ユ−ザ登録電話番号リスト９ｂ中の電話番号と一致するかどうかを判定する。
【００３５】
（３）ステップＳ６の判定結果がＮであれば、ステップＳ７の処理でＣＭＬリレ−１４をオンにして電話回線を接続する。次にステップＳ８の処理でダイヤルバッファに格納された電話番号で相手先にダイヤルし、続いてステップＳ９の処理でファクシミリ通信のサブル−チン処理を行なう。
【００３６】
（４）次にステップＳ１０の処理に移行してファクシミリ通信が終了したかどうかを判定する。この判定結果がＮであれば、ステップＳ９の処理に戻りステップＳ９、ステップＳ１０のル−プ処理を繰り返す。ステップＳ１０の判定結果がＹになると、このル−プ処理を抜けてステップＳ１１でＣＭＬリレ−１４をオフにして電話回線を断とし、ステップＳ１２で処理プログラムを終了する。
【００３７】
（５）前記ステップＳ５、ステップＳ６の判定結果がＹであれば、ステップＳ１３の処理でＣＭＬリレ−１４をオンにして電話回線を接続する。また、接点切り換えリレ−２０をオンにして接点をａからｂに切り換え、リレ−接点ｂ1、ｂ2を介して電話機２２を直流電圧発生回路１９に接続する。
【００３８】
このように、ステップＳ５、ステップＳ６の処理は、予め登録されている電話番号と、実際にダイヤルされた電話番号が一致するかどうかを判定する判定手段として機能している。本発明においては、ステップＳ５、ステップＳ６の判定結果に基づいて、ファクシミリ通信、またはオフフック発呼を行なうことを特徴としている。
【００３９】
（６）ステップＳ１４の処理では、ダイヤルバッファに格納された電話番号で相手先にダイヤルし、ステップＳ１５の処理で拡声部スイッチ１６をオンにする。ステップＳ１５の処理により、相手先からの応答の音声信号が拡声部１８より明瞭に聞き取れるようにする。このため、ファクシミリ装置のオペレ−タは、ダイヤルした相手先が通話用の電話番号であることを認識することができる。
【００４０】
（７）次に、ステップＳ１６の処理でオフフック（ＯＨ）検出回路２１でオフフックを検出したかどうか、すなわち、ファクシミリ装置のオペレ−タが受話機を取り上げたかどうかを判定する。この判定結果がＹであれば、続いてステップＳ１７の処理で、接点切り換えリレ−２０をオフにして接点をｂからａに切り替える。また、拡声部スイッチ１６とＣＭＬリレ−１４をオフにする。
【００４１】
このように、ステップＳ１６の処理でオフフックを検出すると、電話機２２により相手先との通話が可能となるので、この場合には電話回線１２の音声信号を拡声する必要がなくなり、拡声部１８の動作を停止させている。したがって、拡声部１８を無駄なく必要なときにだけ有効に動作させることができる。
【００４２】
（８）電話機２２は、接点切り換えリレ−２０の接点ａ1、ａ2を介して電話回線１２と接続されるので、オペレ−タは相手先と通話可能となり、相手先に対して誤ってファクシミリ通信手順の信号を送信したことを通知することができる。続いてステップＳ１８の処理に移行し、オフフック検出回路２１がオンフックを検出したかどうか、すなわち、相手先との通話を終了して受話機が置かれたかどうかを判定する。この判定結果がＮであれば、ステップＳ１８の処理の待機状態となる。ステップＳ１８の判定結果がＹになると、ステップＳ１２で処理プログラムを終了する。
【００４３】
（９）前記ステップＳ１６の処理において、オフフック（ＯＨ）検出回路２１でオフフックを検出しないときには、ステップＳ１６の判定結果がＮになり、ステップＳ１９の処理で電話回線の極性が反転したかどうか、すなわち、相手先で受話器を取り上げたかどうかを判定する。この判定結果がＮであれば、ステップＳ１６の処理に戻る。
【００４４】
（１０）相手先が受話器を取り上げてステップＳ１９の判定結果がＹになると、ステップＳ２０の処理に移行し、ＣＭＬリレ−１４、拡声部スイッチ１６をオフにする。また、接点切り換えリレ−２０の接点をｂからａに切り換え、ステップＳ１２で処理プログラムを終了する。ステップＳ２０の処理で、電話機２２は接点切り換えリレ−２０の接点ａ1、ａ2を介して電話回線１２と接続されるので、オペレ−タは相手先と通話可能となる。
【００４５】
【発明の効果】
以上説明したように、請求項１に係る発明によれば、ファクシミリ通信の開始が指示されたときに、操作部から入力された電話番号と予め登録されて記憶部に記憶されている電話番号とが一致するかどうかを判定している。そして、両者の電話番号が一致すると判定されると、電話回線上の音声信号を拡声する拡声部を動作させている。このため、電話専用番号にダイヤルしたにも拘らずファクシミリ送信の開始を指示したときに、相手先からの音声信号が聞き取れて、相手先が電話機であることが判断できる。このため、オペレ−タは相手先と通話して誤操作であることを説明でき、相手先に対して適切に対応することができる。
【００４６】
請求項２に係る発明によれば、オフフック検出部で電話機のオフフックを検出すると、受話器を上げて相手先と通話可能な状態になったものと判断して拡声部の動作を停止させている。したがって、拡声部を無駄なく必要なときにだけ有効に動作させることができる。
【００４７】
請求項３に係る発明によれば、全ユーザに対して共通の電話番号を記憶する第１の記憶部と、ユ−ザが独自に登録するユーザ特有の電話番号を記憶する第２の記憶部とを設けている。このように、どのユ−ザにも共通して使用できる電話番号を記憶する記憶部と、ユ−ザに特有の電話番号を記憶する記憶部とを分離して設けているので、電話番号を登録する際のユ−ザの使い勝手が良くなる。
【図面の簡単な説明】
【図１】本発明の概略の処理手順を示すフロ−チャ−トである。
【図２】本発明の詳細な処理手順を示すフロ−チャ−トである。
【図３】本発明の詳細な処理手順を示すフロ−チャ−トである。
【図４】本発明の詳細な処理手順を示すフロ−チャ−トである。
【図５】本発明の実施の形態に係るファクシミリ装置の制御装置を示すブロック図である。
【図６】ファクシミリ装置が用いられる例を示す構成図である。
【符号の説明】
１    制御装置
２    制御部（ＣＰＵ）
３    モデム
８    ＲＯＭ
８ａ  デフォルト電話番号リスト格納領域
９    ＲＡＭ
９ａ  ダイヤルバッファ
９ｂ  ユ−ザ登録電話番号リスト
１２    電話回線
１３    ライントランス
１４    ＣＭＬリレ−
１５    回線極性検出回路
１６    拡声部スイッチ
１７    増幅器（ＡＭＰ）
１８    拡声器
１９    直流電圧発生回路
２０    接点切り換えリレ−
２１    オフフック（ＯＨ）検出回路
２２    電話機
【図１】
0003642035.tif 000002
【図２】
0003642035.tif 000003
【図３】
0003642035.tif 000004
【図４】
0003642035.tif 000005
【図５】
0003642035.tif 000006
【図６】
0003642035.tif 000007